(57)【特許請求の範囲】
【請求項１】
回転動作により、錠の錠杆を出没して施錠、解錠するサムターン軸を有する胴体に、付勢手段により常時その突出方向に付勢されるツマミをサムターン軸の軸方向に移動可能に嵌装し、ツマミをその突出状態において、付勢手段の付勢力に抗して押し込んだ時には、ツマミに一体的に枢支されたカムが、胴体内に設けられた制御部材の係止部に係合し、その係合によりツマミがカムを介して胴体内に収納された状態で保持され、その収納状態において、ツマミを更に押し込むと、カムと制御部材の係止部との係合が解除されて、ツマミが前記付勢手段の付勢力により胴体から突出して、元の突出状態に保持されるように構成してあるサムターンであって、
前記カム３は、略方形の板状体で形成して、中央部には軸を嵌挿して設けてあり、第一先端部と第二先端部には一部に斜面部と水平部とを有する切欠き部を形成すると共に、第一後端部と第二後端部には一部に斜面部と水平部とを有する切欠き部を軸を中心に回転対称形として形成するとともに、このカムの軸をツマミに形成された穴に嵌装して、該カムがツマミに回動自在に枢支されており、
前記制御部材は、後部に形成された略円板状の鍔部と、この鍔部の前部に横設したカムガイド用のガイド部とを有し、前記鍔部は前記胴体をなす回転体と座との間に挟み込まれて固定される一方、
前記ガイド部は、天板と底板と側板とからなる略断面コ字状の箱体で形成し、前記天板の先端部には第一係止部を、底板の先端部より後方位置には第二係止部を形成してあると共に、前記天板と底板と側板との間にはガイド溝が形成され、さらに前記鍔部にはツマミを嵌挿するツマミ挿通穴が形成されていることを特徴とするサムターン。
【発明の詳細な説明】
【技術分野】
【０００１】
本発明は、不正な解錠を防止できるサムターンに関するものである。
【背景技術】
【０００２】
住宅やビルの玄関や入口扉の錠を不正に解錠する手口の一つとして、いわゆるサムターン回しが知られている。これは、扉と枠との隙間や、扉にあけた穴に針金や工具等を挿入し、室内側のサムターンのツマミを回して不正解錠するものである。
【０００３】
この不正解錠の対応策として、本出願人は先に、特許文献１（特開２００６−２５７８４０号公報）に示されたサムターンを提案した。
【０００４】
このサムターンは、サムターンのツマミによりサムターン軸を回し、錠の錠杆を出没して施錠、解錠操作ができる通常状態（操作モード）と、ツマミを回してもツマミだけが空転してサムターン軸は回らず錠杆を作動させることができない空転状態（防犯モード）とに切り替えることができるようにしたものである。
【０００５】
特許文献１のサムターンは、不正解錠を防ぐこの種のサムターンとしては非常に優れたものである。
【先行技術文献】
【特許文献】
【０００６】
【特許文献１】特開２００６−２５７８４０号公報
【発明の概要】
【発明が解決しようとする課題】
【０００７】
しかしながら、このサムターンはモードを切り替える手段としてクラッチ機構を採用しているが、そのクラッチ機構が複雑で部品点数も多く組立も時間がかかり全体として高価なものとなった。またモードの切り替えはツマミに設けた２個の押圧部材（ボタン）を２本の指で摘んで押し込みながら可動部材を押し込み、又は引き出してクラッチを入れる、または切るという操作が必要であるので、高齢者や幼児にとっては操作し難いという問題点もあった。
【０００８】
更には、サムターンが操作モードであるか防犯モードであるかは、ツマミに設けられた可動部材とボタンの位置の変化により判断しなければならず、モード状態の視認は困難であるという問題点もあった。その他、ツマミにはモード切り替え用のボタンが突出しており、外観的に優れない等、未だ改良の余地が多くあった。
【０００９】
そこで、本発明のサムターンは、上記特許文献１のサムターンの上記問題点を解決するために案出したものである。
【課題を解決するための手段】
【００１０】
上記従来の問題点を解消するため、本発明の請求項１に記載のサムターンは、回転動作により、錠の錠杆を出没して施錠、解錠するサムターン軸を有する胴体に、付勢手段により常時その突出方向に付勢されるツマミをサムターン軸の軸方向に移動可能に嵌装し、ツマミをその突出状態において、付勢手段の付勢力に抗して押し込んだ時には、ツマミに一体的に枢支されたカムが、胴体内に設けられた制御部材の係止部に係合し、その係合によりツマミがカムを介して胴体内に収納された状態で保持され、その収納状態において、ツマミを更に押し込むと、カムと制御部材の係止部との係合が解除されて、ツマミが前記付勢手段の付勢力により胴体から突出して、元の突出状態に保持されるように構成してあるサムターンであって、
前記カムは、略方形の板状体で形成して、中央部には軸を嵌挿して設けてあり、第一先端部と第二先端部には一部に斜面部と水平部とを有する切欠き部を形成すると共に、第一後端部と第二後端部には一部に斜面部と水平部とを有する切欠き部を軸を中心に回転対称形として形成するとともに、このカムの軸をツマミに形成された穴に嵌装して、該カムがツマミに回動自在に枢支されており、
前記制御部材は、後部に形成された略円板状の鍔部と、この鍔部の前部に横設したカムガイド用のガイド部とを有し、前記鍔部は前記胴体をなす回転体と座との間に挟み込まれて固定される一方、
前記ガイド部は、天板と底板と側板とからなる略断面コ字状の箱体で形成し、前記天板の先端部には第一係止部を、底板の先端部より後方位置には第二係止部を形成してあると共に、前記天板と底板と側板との間にはガイド溝が形成され、さらに前記鍔部にはツマミを嵌挿するツマミ挿通穴が形成されていることを特徴とする。
【００１１】
ツマミの形状は、断面形状が、略矩形の直方体、円形の円筒体、又は略十字形又は略菱形などその他の形状のものでもよい。
【００１２】
また、ツマミの付勢手段は,ツマミの先端部に磁石を設ける一方、胴体のツマミ嵌装穴で上記ツマミの磁石と対向する部分に同極の磁石を設け、両磁石の反発力をツマミの付勢手段とすることもできる。
【発明の効果】
【００１３】
本発明のサムターンによれば、通常はツマミが胴体から突出した突出状態（操作モード）に保持されるので、該ツマミを操作して胴体に一体に設けられたサムターン軸を回して錠の錠杆を作動して施錠、解錠できる。そして、外出時等にはツマミをツマミの付勢手段に抗して単に押し込んで移動させることにより、ツマミがサムターンの胴体内に収納され操作不可能な状態（防犯モード）に保持されるので、針金などによる不正解錠を有効に防止することができる。また、在宅時には、収納状態（防犯モード）にあるツマミを更に押し込む方向への力を加えることにより、ツマミを突出状態（操作モード）に移動（復帰）させることができる。
【００１４】
また、上記の通り防犯モードと操作モードとの切り替え操作は、ツマミを単に押し込む操作だけでできるので極めて簡単であると共に、ツマミがサムターンの胴体に収納された防犯モードであるか、ツマミが突出した操作モードであるかを視認することが容易である。
【００１５】
なお、このサムターンのツマミは図１の施錠状態で横向きとなり、解錠状態で図２のように縦向きとなるように、錠に組み付けることにより、従来のサムターンと同様に、ツマミの向きによって施錠状態か解錠状態かを判別できる。
【００１６】
さらに、防犯モードと操作モードとの切り替え手段の構成が極めて簡単であり、部品点数が少ないので、組立ても簡単で全体として製造コストが極めて安価なサムターンを提供できる。
【００１７】
その他、サムターンのツマミにはモード切り替え用のボタン等も無く、外観にも優れている。
【図面の簡単な説明】
【００１８】
【図１】本発明に係るサムターン１を適用した錠を扉２０に取り付けて室内側から見た施錠状態の正面図である。
【図２】サムターン１のツマミ２が突出した状態での組立状態図である。
【図３】図２のサムターン１のツマミ２を押し込んで胴体４内に収納した状態の組立状態図である。
【図４】本発明のサムターン１の分解状態を示す斜視図である。
【図５】制御部材７を図４の逆の方向から見た斜視図である。
【図６】カム３の拡大図である。
【図７】サムターン１の施錠状態で突出した状態を示す図２における水平断面図である。
【図８】図７のＡ−Ａ’線における断面図である。
【図９】図８の要部横断底面図である。
【図１０】図９の状態から、ツマミ２を押し込んだ状態を示した横断底面図である。
【図１１】図１０の状態から、ツマミ２を押し込む力を解除して、ツマミ２が胴体４内に収納されて保持された状態を示した横断底面図である。
【図１２】図１１の状態で、ツマミ２を距離ｘだけ押し込んだ状態を示した横断底面図である。
【実施例】
【００１９】
（実施例１）
本発明の実施例１を図１〜図１２に基づいて以下に説明する。
図１は、本発明に係るサムターン１を有する錠１０を扉２０に取り付けた状態を示すもので、この錠１０は所謂公知のプッシュ・プル錠であり、錠杆１１と該錠杆１１を出没作動させる出没作動機構（図示せず）を内装した錠ケース１２と、ラッチ１３を作動させるハンドル１４を有し、ハンドル１４と一体的に設けられた座１５にサムターン１が設けられている。錠ケース１２および座１５は上下に設けられており、その上下の座１５，１５にサムターン１，１が設けられている。また、図示されていないが、室外側にも同様のハンドルと座が設けられ、その座にはシリンダーが設けられている。そしてサムターンの操作又はシリンダーの鍵による操作により錠杆を出没して施錠、解錠できる。
【００２０】
図２および図３は、サムターン１の組立状態を示す斜視図で、図２はツマミ２が胴体４から突出した状態で、図３はツマミ２を胴体４内に押し込んだ状態を示す。図２のツマミ２が突出した状態ではツマミ２を操作することが可能で、ツマミ２の操作によりサムターン軸５１を回転作動して錠１０の錠杆１１を出没して施錠、解錠する。なお、サムターン軸５１は従来公知のサムターン軸と同様のものであり、先端部は十字形に形成されており、ツマミ２が縦向きでも横向きでも錠ケース１２内の出没作動機構に係合できる。
【００２１】
なお、図１ではサムターン１のツマミ２は横向きで、図２および図３では、ツマミ２が縦向きであるが、サムターン１を錠１０に組み付ける時、図１の様に施錠状態でツマミ２が横向きとなるように組み付ければよい。
【００２２】
サムターン１は、図４の分解斜視図に示すように、サムターン軸５１を有する回転体５と座６とにより構成される胴体４と、ツマミ２および制御部材７とで構成されており、ツマミ２は回転体５に形成されたツマミ嵌装穴５２に、サムターン軸５１の軸方向に移動可能に嵌装されている。上記サムターン軸５１は、その回転動作により錠１０の錠杆１１を出没して施錠、解錠するものである。すなわち、ツマミ２の操作により胴体４を回転することにより、回転体５のサムターン軸５１を回転して施錠、解錠するものである。
【００２３】
前記回転体５と座６とは図７に示すように、座６に突設したネジ柱６２を回転体５に形成した穴５３に挿入し、回転体５の後方からネジ９をネジ柱６２のネジ穴６３に螺入して固定して胴体４を形成している。なお、座６には、回転体５のツマミ嵌装穴５２と同様に、ツマミ２を嵌挿するツマミ嵌装穴６１が形成されていると共に、前面には凹部６４が形成されている。
【００２４】
前記ツマミ２は、図７および図９に示すように、付勢手段であるバネ８により常時胴体４から突出する方向に付勢されているが、ツマミ２の段部２３が制御部材７の鍔部７７に形成されたツマミ挿通穴７５の縁部に当接して、それ以上の突出が阻止され、図７および図９の突出状態に保持される。なお、バネ８は、その一端がツマミ２に形成した穴２２に嵌装され、他端は図９に示すように、回転体５に突設した柱５４に掛架されて保持される。
【００２５】
前記ツマミ２には、図７および図８に示されるように、その片側の側面に形成された穴２１にカム３の軸３５が挿入され、カム３が回動自在に枢支され、ツマミ２と一体的に移動するように保持されている。このカムは、略方形（図６では略長方形）の板状体で形成してあり、その中央部には軸３５を嵌挿して設けてある。そして、第一先端部３１と第二先端部３２には一部に斜面部３１ａと水平部３２ｂとを有する切欠き部３６を形成すると共に、第一後端部３３と第二後端部３４には一部に斜面部３３ａと水平部３４ｂとを有する切欠き部３７を軸３５を中心に回転対称形として形成してある。このカム３の軸３５をツマミ２に形成された穴２１に嵌装して、該カム３がツマミ２に回動自在に枢支されている。
なお、図６で、３２ａは第二先端部３２の外郭部に形成された斜面部、同様に、３４ａは第二後端部３４の外郭部に形成された斜面部である。
【００２６】
また、前記サムターン１の胴体４内には、ツマミ２と一体的に移動するカム３をガイドするガイド部７１を有する制御部材７が図７および図８に示すように、回転体５と座６との間に制御部材７の鍔部７７が挟み込まれて固定されている。すなわち、この制御部材７は、図２〜図５、図７〜図１２から判るように、後部に形成された略円板状の鍔部７７と、この鍔部７７の前部に横設したカムガイド用のガイド部７１とを有し、前記鍔部７７は前記胴体４をなす回転体５と座６との間に挟み込まれて固定される。そして、前記ガイド部７１は、天板７８と底板７９と側板とからなる略断面コ字状の箱体で形成し、前記天板７８の先端部には第一係止部７２を、底板７９の先端部より後方位置には第二係止部７３を形成してある。それと共に、前記天板７８と底板７９と側板との間にはガイド溝７４が形成され、さらに前記鍔部７７にはツマミ２を嵌挿するツマミ挿通穴７５が形成されている。
なお、図４と図５で示された７６は、座６のネジ柱６２のネジ穴６３と、回転体５の穴５３とに合致させて、ネジ９で螺着するためのネジ穴である。
【００２７】
図２、図７および図９は、ツマミ２が胴体４から突出した状態を示し、この状態ではツマミ２を操作してサムターン軸５１を回動して施錠、解錠することができる。なお、この突出状態（操作モード）では、カム３は図９に示されるように制御部材７のガイド部７１のガイド溝７４内でガイド溝７４の天板７８と底板７９との間で水平状態に保持されている。その状態のカムを、図６の拡大図で示す。
【００２８】
図１０は、図９の状態からツマミ２をバネ８による付勢力に抗して胴体４内に押し込んだ状態を示し、この時カム３はその第一先端部３１の斜面部３１ａが、ガイド部７１の先端部に設けた第一係止部７２に当接し、カム３は時計方向に回動し、図１０の状態となる。
【００２９】
次に、図１０の状態でツマミ２から指を放して、ツマミ２を押し込む力を解除すると、ツマミ２はその付勢力により元の状態まで突出しようとするが、図１１に示すように、ツマミ２が距離Ｘだけ突出した時に、カム３が前記したように時計方向に回動した状態となっているので、カム３の第一後端部３３がガイド部７１に設けた第二係止部７３に当接する。すると、カム３はツマミ２の突出方向への付勢力によりその第二後端部３４がガイド部７１の第二係止部７３に押されて、カムはさらに時計方向に回動しようとするが、この時、カム３の第二後端部３４がガイド溝７４の底板７９に当接して、カム３はそれ以上の回動が阻止されるので、図１１のように、カム３の第一後端部３３がガイド部７１の第二係止部７３に係合した係合状態が保持される。
従って、ツマミ２のそれ以上の突出は阻止され、この収納状態で保持される。即ち、この状態はツマミ２が胴体４内に完全に収納された状態でありツマミ２を操作することはできず、施錠、解錠することができない状態（防犯モード）である。
【００３０】
次に、図１１のツマミ２が胴体内に収納された状態（防犯モード）において、ツマミ２を付勢力に抗して押し込むと、ツマミ２は距離Ｘだけ移動する。この時、図１２に示すように、カム３の第二先端部３２が前記ガイド部７１に設けた第一係止部７２に当接し、押し込む力によってカム３が時計方向に回動し、図１２に示す状態となる。
【００３１】
この図１２の状態で、ツマミ２から指を離してツマミ２を押し込む力を解除すると、バネ８の付勢力によりツマミ２は突出し、カム３の第二後端部３４がガイド部７１の第二係止部７３に当接し、カム３は時計方向に回動する。この時、カム３の回動を阻止するものはなにもないので、ツマミ２は、図９に示す元の突出状態（操作モード）まで回動し、カム３も図９に示す水平状態まで回動し、ガイド溝７４の天板７８と底板７９との間に収納されて保持される。
【００３２】
なお、ツマミ２が図９の突出状態から図１１の収納状態を経て元の図９の突出状態に復帰した時、カム３は１８０°回転され、図９ではカム３の左側に位置した第一及び第二先端部３１，３２が右側の第一および第二後端部３３，３４の位置に位置することになる。ところで、このカム３の先端部と後端部とは１８０°回転対称形に形成してあるので、第一先端部３１と第一後端部３３、第二先端部３２と第二後端部３４とは各々前記した同じ作用を果たす。従って、前記した突出状態から収納状態へ、又収納状態から突出状態へと繰り返して操作することができる。
【００３３】
（その他の実施例）
前記実施例１の構成では、ツマミ２はその断面形状が略矩形の直方体であったが、ツマミ２の断面形状が円形の円筒体でもよく、また、断面形状が略十字形又は略菱形やその他の形状のものでもよく、ツマミ２がその突出状態で回動操作できるものであればよく、その形状は特に限定されるものではない。
【００３４】
さらには、ツマミ２をその突出方向に付勢する付勢手段として、前記実施例１の構成では２個のコイルバネ８を使用したが、バネは引っ張りバネでも良いし、又、２個使用することなく１個でもよい。その他、バネに替えて磁石の反発力を使用した付勢手段を設けることもできる。
【００３５】
その他、ツマミ２に枢支するカム３の位置は、実施例１のようにツマミ２の側面でも良いし、ツマミ２の上面や下面に枢支してもよい。
また、カム３は、実施例１のように１個でもよいが、よりスムーズに作動させるために、複数個設けてもよい。
【産業上の利用可能性】
【００３６】
なお、図示の錠１０は、本発明のサムターンが適用される一例としてのプッシュ・プル錠であるが、本発明のサムターンはケースロックや本締錠あるいは電気錠などにも適用可能である。
また、錠の施錠、解錠機構は、本実施例のように錠杆を出没作動させるものに限らず、サムターンやシリンダーの操作によって錠杆の出没作動を規制する規制部材を作動して施錠、解錠するようにしたものや、レバーハンドルやノブ等の回転を制御して、施錠、解錠するようにした錠にも適用できる。
さらには、本発明のサムターンは、建物用の錠のみならず、自動車の錠やその他閉鎖体の錠にも適用可能である。
【符号の説明】
【００３７】
１    サムターン
２    ツマミ
３    カム
３１  第一先端部  
３２  第二先端部
３３  第一後端部 
３４  第二後端部
３６  切欠き部 
３７  切欠き部 
４    胴体
５    回転体
５１  サムターン軸
５２  ツマミ嵌装穴
６    座
７    制御部材
７１  ガイド部
７２  第一係止部
７３  第二係止部
７４  ガイド溝
７７  鍔部
７８  天板
７９  底板
８    バネ
９    ネジ
【図１】
0005411886.tif 000002
【図２】
0005411886.tif 000003
【図３】
0005411886.tif 000004
【図４】
0005411886.tif 000005
【図５】
0005411886.tif 000006
【図６】
0005411886.tif 000007
【図７】
0005411886.tif 000008
【図８】
0005411886.tif 000009
【図９】
0005411886.tif 000010
【図１０】
0005411886.tif 000011
【図１１】
0005411886.tif 000012
【図１２】
0005411886.tif 000013